(57)【要約】【課題】  状況に応じて接続方法を選択することができるとともに、通水管を確実に接続することができ、かつ、接続のやり直しを容易に行なうことができる、継手を提供する。【解決手段】  継手２は、通水管１の端部部分１ａが差し込まれる受口３と、止水部材４と、受口３に着脱可能であって端部部分１ａが挿入される係合体５と、その係合体５と係合する取着体６ａとを、備える。ここで、係合体５は、端部部分１ａの外側に嵌まる筒状の係合体本体５ａと、その係合体本体５ａの内側に保持されて端部部分１ａが通る抜止めリング５ｂとを備える。この抜止めリング５ｂは、端部部分１ａを係止する弾性変形可能な係止爪５ｄを有する。取着体６ａは、端部部分１ａが挿入された係合体５が受口３に装着された状態で、通水管１の側方から近づくようにして受口３に取り付け可能であるとともに、通水管１から側方に離れるようにして受口３から取り外し可能に形成されている。【選択図】  図１
2009014017.tif 000002
【特許請求の範囲】
【請求項１】
合成樹脂製の通水管が接続される継手であって、
前記通水管の端部部分が、その端部部分の軸心方向の一方を向く接続方向に向かって差し込まれる受口と、
前記受口と前記端部部分との間を止水する止水部材と、
前記受口に前記接続方向に向かって装着可能であるとともに前記接続方向とは反対の反接続方向に向かって抜脱可能であって、前記端部部分が挿入される係合体と、
前記受口に着脱可能に取り付けられて、前記係合体が前記受口に対して抜け止めされるよう、その係合体と係合する取着体とを、備え、
前記係合体は、前記端部部分の外側に嵌まる筒状の係合体本体と、その係合体本体の内側に保持されて前記端部部分が通る抜止めリングとを備え、
前記抜止めリングは、リング本体と、そのリング本体から前記接続方向に傾斜するようにして内側に向けて延出されて、前記端部部分を係止する弾性変形可能な係止爪とを、有し、
前記取着体は、前記端部部分が挿入された前記係合体が前記受口に装着された状態で、前記通水管の側方から近づくようにして前記受口に取り付け可能であるとともに、前記通水管から側方に離れるようにして前記受口から取り外し可能に形成されてなる継手。
【請求項２】
前記係合体は、前記抜止めリングを、前記係合体本体の軸心方向に複数備える、請求項１に記載の継手。
【請求項３】
前記止水部材は、前記係合体よりも、前記受口の奥側に配置されて、前記受口と前記通水管の端部部分の外周面との間を止水する、請求項１または２に記載の継手。
【請求項４】
前記通水管の端部部分の内側に嵌まる筒状のコア部を備え、
前記コア部は、少なくとも、前記係合体と対応する位置に設けられる、請求項１ないし３のいずれか１項に記載の継手。
【請求項５】
前記通水管の端部部分の内側に嵌まる筒状のコア部を備え、
前記コア部は、少なくとも、前記止水部材および前記係合体と対応する位置に設けられる、請求項３に記載の継手。
【請求項６】
前記受口は、前記通水管の端部部分が所定位置を越えて前記接続方向に進むのを規制する規制部を有する、請求項１ないし５のいずれか１項に記載の継手。
【請求項７】
継手に合成樹脂製の通水管を接続するために、前記継手の受口に、前記通水管の端部部分の軸心方向の一方を向く接続方向に向かって差し込まれる接続端部であって、
前記端部部分と、
前記受口に前記接続方向に向かって装着可能であるとともに前記接続方向とは反対の反接続方向に向かって抜脱可能であって、前記端部部分が挿入されるようにしてその端部部分に取り付けられた係合体とを、備え、
前記係合体は、前記受口に対して抜け止めされるよう、その受口に設けられる係止手段と係合可能であり、かつ、
前記係合体は、前記端部部分の外側に嵌まる筒状の係合体本体と、その係合体本体の内側に保持されて前記端部部分が通る抜止めリングとを備え、
前記抜止めリングは、リング本体と、そのリング本体から前記接続方向に傾斜するようにして内側に向けて延出されて、前記端部部分を係止する弾性変形可能な係止爪とを、有する、通水管の接続端部。
【請求項８】
前記係合体は、前記抜止めリングを、前記係合体本体の軸心方向に複数備える、請求項７に記載の、通水管の接続端部。
【請求項９】
前記係合体は、前記端部部分における、外周面に止水部材が密接するための端部部分前部よりも後方の、端部部分後部に設けられる、請求項７または８に記載の、通水管の接続端部。
【請求項１０】
前記端部部分の内側に嵌まる筒状のコア部材を備え、
前記コア部材は、少なくとも、前記端部部分後部に設けられる、請求項９に記載の、通水管の接続端部。
【請求項１１】
前記端部部分の内側に嵌まる筒状のコア部材を備え、
前記コア部材は、少なくとも、前記端部部分前部および前記端部部分後部に設けられる、請求項９に記載の、通水管の接続端部。
【請求項１２】
請求項７ないし１１のいずれか１項に記載の通水管の接続端部を継手に接続する、通水管の接続方法であって、前記端部部分に前記係合体が取り付けられてなる前記接続端部を、前記継手の受口に差し込み、その後、前記係合体に前記係止手段を係合させる、通水管の接続方法。
【発明の詳細な説明】
【技術分野】
【０００１】
この発明は、合成樹脂製の通水管が接続される継手、通水管の接続端部、および通水管の接続方法に関するものである。
【背景技術】
【０００２】
従来、合成樹脂製の通水管が接続される継手があった（例えば、特許文献１参照）。図１３に示されるように、この継手１１は、管接続部１２に、ロックリング１３が設けられていた。そして、管接続部１２への通水管（図示せず）の接続にあたっては、管接続部１２に通水管を挿入すると、前記ロックリング１３が通水管に係合し、こうして、通水管の抜出しが防止された。また、この継手１１は、通水管の挿入状態を確認できるように、透明な合成樹脂で成形されることがあった。
【０００３】
【特許文献１】特開２００３−１３０２６６号公報
【発明の開示】
【発明が解決しようとする課題】
【０００４】
しかし、前記従来の継手１１においては、視認し難い場所や、通水管を挿入し難い場所に、継手１１が設置されると、継手１１への通水管の挿入状態を確認することが困難であったり、通水管が管接続部１２の奥まで挿入されない虞があった。
【０００５】
また、継手１１に通水管を接続するにあたって、差し間違えが起こった場合、継手１１からの通水管の解除について考慮されていなかった。このため、このような場合には、通水管を切断し継手１１を交換して接続し直さなければならなかった。
【０００６】
この発明は、上記した従来の欠点を解決するためになされたものであり、その目的とするところは、状況に応じて接続方法を選択することができるとともに、通水管を確実に接続することができ、かつ、接続のやり直しを容易に行なうことができる、継手を提供することにある。
【０００７】
また、他の目的は、通水管を確実に接続することができ、かつ、接続のやり直しを容易に行なうことができる、通水管の接続端部、および通水管の接続方法を提供することにある。
【課題を解決するための手段】
【０００８】
この発明に係る継手、通水管の接続端部、および通水管の接続方法は、前記目的を達成するために、次の構成からなる。すなわち、
請求項１に記載の発明に係る継手は、合成樹脂製の通水管が接続される継手である。この継手は、前記通水管の端部部分が、その端部部分の軸心方向の一方を向く接続方向に向かって差し込まれる受口と、前記受口と前記端部部分との間を止水する止水部材と、前記受口に前記接続方向に向かって装着可能であるとともに前記接続方向とは反対の反接続方向に向かって抜脱可能であって、前記端部部分が挿入される係合体と、前記受口に着脱可能に取り付けられて、前記係合体が前記受口に対して抜け止めされるよう、その係合体と係合する取着体とを、備える。ここで、前記係合体は、前記端部部分の外側に嵌まる筒状の係合体本体と、その係合体本体の内側に保持されて前記端部部分が通る抜止めリングとを備える。この抜止めリングは、リング本体と、そのリング本体から前記接続方向に傾斜するようにして内側に向けて延出されて、前記端部部分を係止する弾性変形可能な係止爪とを、有する。そして、前記取着体は、前記端部部分が挿入された前記係合体が前記受口に装着された状態で、前記通水管の側方から近づくようにして前記受口に取り付け可能であるとともに、前記通水管から側方に離れるようにして前記受口から取り外し可能に形成されている。
【０００９】
この継手によれば、継手に通水管を接続するにあたっては、二つの接続方法を採ることができる。第一の接続方法としては、継手の受口に、予め、係合体を装着し、さらに取着体を取り付けることで、係合体が、取着体によって、受口に対して抜け止めされた状態にしておく。そして、この係合体と取着体とが取り付けられた受口に対して、通水管の端部部分を差し込む。これにより、係合体における抜止めリングの係止爪が、通水管の端部部分を係止し、この通水管は、受口、つまりは継手に接続される。また、第二の接続方法としては、継手の受口には、係合体と取着体とが取り付けられていない状態にしておく。そして、通水管の端部部分においては、予め、その端部部分を係合体に挿入しておく。このとき、係合体における抜止めリングの係止爪が、通水管の端部部分を係止し、係合体は、通水管の端部部分に取り付けられる。そこで、継手の受口に対して、係合体が取り付けられた通水管の端部部分を差し込み、取着体を取り付ける。これにより、係合体が、取着体によって、受口に対して抜け止めされた状態となり、通水管は、受口、つまりは継手に接続される。このようにして、継手に通水管を接続するにあたっては、二つの接続方法があるため、状況に応じてこれら接続方法の一方を選択することができる。特に、第二の接続方法を選択することで、すなわち、通水管を継手の受口に差し込む前に、予め、外部で、通水管の端部部分に係合体を取り付けることで、係合体に対する端部部分の挿入状態を把握することができる。そこで、このような係合体が取り付けられた通水管の端部部分を、継手の受口に差し込むことで、継手が、視認し難い場所や、通水管を差し込み難い場所にある場合であっても、通水管を継手に確実に接続することができる。
【００１０】
反対に、継手から通水管を取り外すには、まず、継手の受口から取着体を取り外す。そして、継手の受口から、通水管の端部部分を、係合体が取り付けられた状態で取り外す。こうして、係合体とともに通水管を、継手から取り外すことができるが、この係合体が取り付けられた通水管を、再度、継手に接続するには、第二の接続方法を用いることができ、このため、接続のやり直しを容易に行なうことができる。
【００１１】
また、請求項２に記載の発明に係る継手のように、請求項１に記載の継手において、前記係合体は、前記抜止めリングを、前記係合体本体の軸心方向に複数備えてもよい。
【００１２】
また、請求項３に記載の発明に係る継手のように、請求項１または２に記載の継手において、前記止水部材は、前記係合体よりも、前記受口の奥側に配置されて、前記受口と前記通水管の端部部分の外周面との間を止水してもよい。
【００１３】
また、請求項４に記載の発明に係る継手のように、請求項１ないし３のいずれか１項に記載の継手において、前記通水管の端部部分の内側に嵌まる筒状のコア部を備え、前記コア部は、少なくとも、前記係合体と対応する位置に設けられてもよい。
【００１４】
また、請求項５に記載の発明に係る継手のように、請求項３に記載の継手において、前記通水管の端部部分の内側に嵌まる筒状のコア部を備え、前記コア部は、少なくとも、前記止水部材および前記係合体と対応する位置に設けられてもよい。
【００１５】
また、請求項６に記載の発明に係る継手のように、請求項１ないし５のいずれか１項に記載の継手において、前記受口は、前記通水管の端部部分が所定位置を越えて前記接続方向に進むのを規制する規制部を有するのが望ましい。
【００１６】
また、請求項７に記載の発明に係る通水管の接続端部は、継手に合成樹脂製の通水管を接続するために、前記継手の受口に、前記通水管の端部部分の軸心方向の一方を向く接続方向に向かって差し込まれる接続端部である。この接続端部は、前記端部部分と、前記受口に前記接続方向に向かって装着可能であるとともに前記接続方向とは反対の反接続方向に向かって抜脱可能であって、前記端部部分が挿入されるようにしてその端部部分に取り付けられた係合体とを、備える。ここで、前記係合体は、前記受口に対して抜け止めされるよう、その受口に設けられる係止手段と係合可能である。そして、前記係合体は、前記端部部分の外側に嵌まる筒状の係合体本体と、その係合体本体の内側に保持されて前記端部部分が通る抜止めリングとを備える。この抜止めリングは、リング本体と、そのリング本体から前記接続方向に傾斜するようにして内側に向けて延出されて、前記端部部分を係止する弾性変形可能な係止爪とを、有する。
【００１７】
この通水管の接続端部によると、通水管の端部部分を係合体に挿入することで、係合体における抜止めリングの係止爪が、通水管の端部部分を係止し、係合体は、通水管の端部部分に取り付けられる。そこで、継手に通水管を接続するにあたっては、継手の受口に対して、係合体が取り付けられた通水管の端部部分、すなわち接続端部を差し込み、その係合体に係止手段を係合させる。これにより、係合体が、係止手段によって、受口に対して抜け止めされた状態となり、通水管は、受口、つまりは継手に接続される。このように、通水管を継手の受口に差し込む前に、予め、外部で、通水管の端部部分に係合体を取り付けることで、係合体に対する端部部分の挿入状態を把握することができる。そこで、このような係合体が取り付けられた通水管の端部部分、つまり接続端部を、継手の受口に差し込むことで、継手が、視認し難い場所や、通水管を差し込み難い場所にある場合であっても、通水管を継手に確実に接続することができる。
【００１８】
反対に、継手から通水管を取り外すには、まず、係合体への係止手段の係合を解除する。そして、継手の受口から、通水管の端部部分を、係合体が取り付けられた状態、つまり接続端部の状態で取り外す。こうして、係合体とともに通水管を、継手から取り外すことができるが、この係合体が取り付けられた通水管を、再度、同様の方法で、継手に接続することができ、このため、接続のやり直しを容易に行なうことができる。
【００１９】
また、請求項８に記載の発明に係る通水管の接続端部のように、請求項７に記載の接続端部において、前記係合体は、前記抜止めリングを、前記係合体本体の軸心方向に複数備えてもよい。
【００２０】
また、請求項９に記載の発明に係る通水管の接続端部のように、請求項７または８に記載の接続端部において、前記係合体は、前記端部部分における、外周面に止水部材が密接するための端部部分前部よりも後方の、端部部分後部に設けられてもよい。
【００２１】
また、請求項１０に記載の発明に係る通水管の接続端部のように、請求項９に記載の接続端部において、前記端部部分の内側に嵌まる筒状のコア部材を備え、前記コア部材は、少なくとも、前記端部部分後部に設けられてもよい。
【００２２】
また、請求項１１に記載の発明に係る通水管の接続端部のように、請求項９に記載の接続端部において、前記端部部分の内側に嵌まる筒状のコア部材を備え、前記コア部材は、少なくとも、前記端部部分前部および前記端部部分後部に設けられてもよい。
【００２３】
また、請求項１２に記載の発明に係る通水管の接続方法は、請求項７ないし１１のいずれか１項に記載の通水管の接続端部を継手に接続する、通水管の接続方法であって、前記端部部分に前記係合体が取り付けられてなる前記接続端部を、前記継手の受口に差し込み、その後、前記係合体に前記係止手段を係合させる。
【発明の効果】
【００２４】
この発明に係る継手によれば、継手に通水管を接続するにあたっては、第一の接続方法と第二の接続方法という二つの接続方法があるため、状況に応じてこれら接続方法の一方を選択することができる。そして、第二の接続方法を選択することで、すなわち、通水管を継手の受口に差し込む前に、予め、外部で、通水管の端部部分に係合体を取り付けることで、係合体に対する端部部分の挿入状態を把握することができ、このような係合体が取り付けられた通水管の端部部分を、継手の受口に差し込むことで、継手が、視認し難い場所や、通水管を差し込み難い場所にある場合であっても、通水管を継手に確実に接続することができる。また、通水管を、係合体が取り付けられた状態で、継手から取り外すことができ、そして、この係合体が取り付けられた通水管を、再度、継手に接続するには、第二の接続方法を用いることができ、このため、接続のやり直しを容易に行なうことができる。
【００２５】
また、この発明に係る通水管の接続端部、および通水管の接続方法によれば、通水管を継手の受口に差し込む前に、予め、外部で、通水管の端部部分に係合体を取り付けることで、係合体に対する端部部分の挿入状態を把握することができ、このような係合体が取り付けられた通水管の端部部分を、継手の受口に差し込むことで、継手が、視認し難い場所や、通水管を差し込み難い場所にある場合であっても、通水管を継手に確実に接続することができる。また、通水管を、係合体が取り付けられた状態で、継手から取り外すことができ、そして、この係合体が取り付けられた通水管を、再度、同様の方法で、継手に接続することができ、このため、接続のやり直しを容易に行なうことができる。
【発明を実施するための最良の形態】
【００２６】
以下、この発明を実施するための最良の形態を図面に基づいて説明する。
【００２７】
図１〜図７は、本発明の第一の実施の形態を示す。図中符号１は、配管材としての、可撓性を有する合成樹脂製の通水管であり、例えば、架橋ポリエチレンとかポリブデン等の合成樹脂管からなる。２は、前記通水管１が接続される継手である。
【００２８】
この継手２は、通水管１の端部部分１ａが、その端部部分１ａの軸心１ｂ方向の一方を向く接続方向Ｐに向かって差し込まれる受口３と、止水部材４と、係合体５と、係止手段（詳細には、取着体６ａ）とを、備える。ここで、止水部材４は、前記受口３と通水管１の端部部分１ａとの間を止水するものであって、オーリング等のパッキンからなる。
【００２９】
係合体５は、前記受口３に前記接続方向Ｐに向かって装着可能であるとともに前記接続方向Ｐとは反対の反接続方向Ｑに向かって抜脱可能であって、通水管１の端部部分１ａが挿入されるものである。この係合体５は、受口３に対して抜け止めされるよう、その受口３に設けられる係止手段６と係合可能となっている。そして、係合体５は、通水管１の端部部分１ａの外側に嵌まる筒状の係合体本体５ａと、その係合体本体５ａの内側に保持されて通水管１の端部部分１ａが通る抜止めリング５ｂとを備える。ここで、抜止めリング５ｂは、リング本体５ｃと、そのリング本体５ｃから前記接続方向Ｐに傾斜するようにして内側に向けて延出されて、通水管１の端部部分１ａを係止する弾性変形可能な係止爪５ｄとを、有している。
【００３０】
係止手段６は、取着体６ａからなり、前記受口３に着脱可能に取り付けられて、前記係合体５が受口３に対して抜け止めされるよう、その係合体５と係合するものである。この取着体６ａは、通水管１の端部部分１ａが挿入された係合体５が受口３に装着された状態で、通水管１の側方から近づくようにして受口３に取り付け可能であるとともに、通水管１から側方に離れるようにして受口３から取り外し可能に形成されている。
【００３１】
また、符号７は、継手２に通水管１を接続するために、継手２の受口３に、前記接続方向Ｐに向かって差し込まれる接続端部である。この通水管１の接続端部７は、前記端部部分１ａと、その端部部分１ａが挿入されるようにしてその端部部分１ａに取り付けられた前記係合体５とを、備えている。
【００３２】
具体的には、継手２は、水が通るように筒状に形成された継手本体２ａを備え、その継手本体２ａの一端側が、前記受口３となっている。そして、受口３は、通水管１の端部部分１ａが所定位置を越えて前記接続方向Ｐに進むのを規制する規制部３ａを有する。図示実施の形態においては、受口３の内側は、通水管１の端部部分１ａおよび係合体５が収容される収容孔３ｂとなっており、その収容孔３ｂの奥端に、段部からなる前記規制部３ａが設けられている。そして、収容孔３ｂの奥側は、端部部分１ａにおける後述する端部部分前部１ｃが嵌まる径小孔３ｃとなり、収容孔３ｂの口元側は、係合体５が嵌まる径大孔３ｄとなっている。そして、径小孔３ｃの周面には、止水部材４が嵌まる溝３ｅが形成されている。こうして、止水部材４は、係合体５よりも、受口３の奥側に配置されて、受口３と端部部分１ａ（詳細には、端部部分前部１ｃ）の外周面との間を止水することとなる。また、受口３には、その外周部に開口する（詳細には、受口３の外周の四方箇所に突設された各取着体挿入部Ｍ、Ｍに開口する）孔３ｆ、３ｆが、収容孔３ｂ（詳細には、径大孔３ｄ）を横切るように明けられている。
【００３３】
係合体５は、前記抜止めリング５ｂを、前記係合体本体５ａの軸心５ｅ方向に複数（図示実施の形態においては、４枚）備える。詳細には、抜止めリング５ｂは、例えば、ステンレス鋼板等の、金属製の板材からなり、前記リング本体５ｃが、平板リング状に形成されて、前記係止爪５ｄが、リング本体５ｃの周方向に並ぶようにして、複数（図示実施の形態においては、１４個）設けられている（図５参照）。この係止爪５ｄは、リング本体５ｃの内周から延設されて、先端部分は、中央が突出するように先細り状に形成されている。ここで、抜止めリング５ｂの厚さは、その抜止めリング５ｂに通水管１の端部部分１ａが通る際に通水管１の外周面に傷を付けにくい厚さとなるために、０．１〜０．２ｍｍであるのが望ましい。そして、この抜止めリング５ｂは、複数設けられることで、通水管１の抜けに対する力が分散されて吸収されるが、特に、この抜止めリング５ｂの枚数は、３〜５枚であるのが望ましい。もっとも、係合体５における抜止めリング５ｂの厚さと枚数は、通水管１の挿入にかかる力と引き抜きにかかる力によって、選択可能であって、前記厚さと枚数の範囲に限定されるものではない。
【００３４】
そして、係合体本体５ａは、筒状体５ｆと、その筒状体５ｆ内に収容されて、抜止めリング５ｂを挟むようにして支持する第１および第２の支持リング５ｇ、５ｈとからなる。筒状体５ｆは、前端に、第１の支持リング５ｇを抜け止めするように、内側に折れ曲がって延びる前部片５ｉを有している。そこで、筒状体５ｆには、その後方から、第１の支持リング５ｇと抜止めリング５ｂとが交互に挿入され、最後に第２の支持リング５ｈが挿入される。そして、筒状体５ｆの後端が、第２の支持リング５ｈを抑えるように内側にかしめられる。ここにおいて、第１の支持リング５ｇは、抜止めリング５ｂの数に合わせて、４つ設けられている。そして、第１の支持リング５ｇは、その内径が、通水管１の外径よりも大きく、通水管１との間に抜止めリング５ｂの係止爪５ｄを収容する空隙５ｊが形成される。また、第２の支持体５ｈは、その内径が、通水管１の外径とほぼ同じであって、通水管１の外周面に近接あるいは当接することとなる。なお、前記接続端部７において、係合体５は、通水管１の端部部分１ａにおける、外周面に止水部材４が密接するための端部部分前部１ｃよりも後方の、端部部分後部１ｄに設けられる。
【００３５】
ところで、この係合体５は、継手本体２ａ（詳細には、受口３）とか、通水管１（詳細には、端部部分１ａ）とは、別体に形成されており、継手２における係合体５は、受口３に装着された係合体であるか、それとも装着される前の係合体であるか、さらには、通水管１の端部部分１ａが挿入された係合体であるか、それとも挿入される前の係合体であるかは、問わない。また、継手本体２ａと係合体５、通水管１と係合体５とは、セットで販売されてもよいが、別々に販売されてもよい。つまり、係合体５は、別売されても構わない。
【００３６】
取着体６ａは、例えば、金属製の線材からなり、略コの字形状に形成されている（図２参照）。この取着体６ａは、略コの字形状の対向する対向片６ｂ、６ｂが、通水管１を挟むように受口３の孔３ｆ、３ｆに挿入されて、係合体５の後端と係合する。このとき、取着体６ａにおける、対向片６ｂ、６ｂを繋ぐ中間片６ｃが、受口３に設けられた掛止部３ｇに掛かり、こうして、取着体６ａは、孔３ｆに対して抜け止めされる。この掛止部３ｇは、前記中間片６ｃと掛かり合う出っ張りＮを有して、受口３の外周から突設されており、少なくとも前記出っ張りＮは、弾性変形可能であるため、取着体６ａは、受口３に対して着脱可能となる（図３参照）。図示実施の形態においては、前記掛止部３ｇは、前記径大孔３ｄを挟んで対向位置するように、受口３の外周に一対設けられている。
【００３７】
また、継手２は、通水管１の端部部分１ａの内側に嵌まる筒状のコア部８を備えている。このコア部８は、少なくとも、係合体５と対応する位置（詳細には、少なくとも、止水部材４および係合体５と対応する位置）に設けられる。図示実施の形態においては、コア部８は、受口３とは別体のコア部材８ａからなり、通水管１を受口３に差し込む前に、予め、このコア部材８ａが通水管１の端部部分１ａに挿入される。こうして、このコア部材８ａは、少なくとも、通水管１の端部部分１ａにおける前記端部部分後部１ｄ（詳細には、少なくとも、端部部分１ａにおける前記端部部分前部１ｃおよび前記端部部分後部１ｄ）に設けられることとなる。
【００３８】
この継手２によれば、継手２への通水管１の接続方法として、二つの接続方法を採ることができる。第一の接続方法としては、図６に示すように、継手２の受口３に、予め、係合体５を装着し、さらに取着体６ａを取り付けることで、係合体５が、取着体６ａによって、受口３に対して抜け止めされた状態にしておく。そして、この係合体５と取着体６ａとが取り付けられた受口３に対して、通水管１の端部部分１ａを差し込む（図６、図１参照）。これにより、係合体５における抜止めリング５ｂの係止爪５ｄが、通水管１の端部部分１ａを係止し、この通水管１は、受口３、つまりは継手２に接続される。
【００３９】
また、第二の接続方法としては、図７に示すように、継手２の受口３には、係合体５と取着体６ａとが取り付けられていない状態にしておく。そして、通水管１の端部部分１ａにおいては、受口３の外部で、予め、その端部部分１ａを係合体５に挿入しておく。このとき、係合体５における抜止めリング５ｂの係止爪５ｄが、通水管１の端部部分１ａを係止し、係合体５は、端部部分１ａに取り付けられる。そこで、継手２の受口３に対して、係合体５が取り付けられた通水管１の端部部分１ａ、つまり接続端部７を差し込み、取着体６ａを取り付ける（図７、図１参照）。すなわち、端部部分１ａに係合体５が取り付けられてなる接続端部７を、継手２の受口３に差し込み、その後、係合体５に係止手段６としての取着体６ａを係合させる。これにより、係合体５が、取着体６ａによって、受口３に対して抜け止めされた状態となり、通水管１は、受口３、つまりは継手２に接続される。
【００４０】
このように、継手２に通水管１を接続するにあたっては、第一の接続方法と第二の接続方法という二つの接続方法があるため、状況に応じてこれら接続方法の一方を選択することができる。例えば、継手２が、視認できる場所や、通水管１を差し込みしやすい場所にある場合には、第一の接続方法を選択することで、すなわち、継手２の受口３に係合体５を収容した状態で、通水管１を受口３に差し込むことで、通水管１を継手２に簡単に接続することができる。そして、特に、第二の接続方法を選択することで、すなわち、通水管１を継手２の受口３に差し込む前に、予め、外部で、通水管１の端部部分１ａに係合体５を取り付けることで、係合体５に対する端部部分１ａの挿入状態を把握することができる。そこで、このような係合体５が取り付けられた通水管１の端部部分１ａ、つまり接続端部７を、継手２の受口３に差し込むことで、継手２が、視認し難い場所や、通水管１を差し込み難い場所にある場合であっても、通水管１を継手２に確実に接続することができる。
【００４１】
さらに、外部で、通水管１の端部部分１ａに係合体５を取り付けるにあたって、端部部分１ａを係合体５に挿入した後に、端部部分１ａを係合体５に対して引き戻すように力を加えることで、抜止めリング５ｂの係止爪５ｄを通水管１（詳細には、端部部分１ａ）に食い込ませることができる。そして、この状態で、通水管１の端部部分１ａ（詳細には、接続端部７）を受口３に差し込むことで、通水管１を継手２に一層確実に接続することができる。
【００４２】
反対に、継手２から通水管１を取り外すには、まず、継手２の受口３から取着体６ａを取り外して、係合体５への取着体６ａの係合を解除する。そして、継手２の受口３から、通水管１の端部部分１ａを、係合体５が取り付けられた状態、つまり接続端部７の状態で取り外す（図７参照）。こうして、係合体５とともに通水管１を、継手２から取り外すことができるが、この係合体５が取り付けられた通水管１を、再度、継手２に接続するには、同様の方法（つまり、第二の接続方法）を用いることができる。このように、通水管１を、係合体５が取り付けられた状態で、継手２から取り外すことができ、そして、この係合体５が取り付けられた通水管１を、同様の方法で（つまり、第二の接続方法を用いて）、再度、継手２に接続することができる。このため、例えば、通水管１の差し間違えがあっても、継手２の交換とか通水管１の切断とかをする必要なく、接続のやり直しを容易に行なうことができる。
【００４３】
図８は、本発明の第二の実施の形態を示す。この実施の形態においては、第一の実施の形態とは、コア部８が、受口３と一体に形成され、そのコア部８に止水部材４が取り付けられるが、他はほぼ同様であり、以下に、同一の機能を有する部分には、同一の符号を付して、異なる部分を主に説明する。
【００４４】
受口３の内側の収容孔３ｂには、その奥側から口元側に突出するようにして、コア部８が形成されている。そして、このコア部８の外周面には、止水部材４が嵌まる溝３ｅが形成されている。こうして、止水部材４は、コア部８つまりは受口３と、通水管１の端部部分１ａの内周面との間を止水することとなる。
【００４５】
係合体５においては、係合体本体５ａにおける筒状体５ｆは、前部片５ｉが、第１の支持リング５ｇを抜け止めするように、そして、端部部分１ａの先端面が当たるように、内側に折れ曲がって延びている。
【００４６】
この第二の実施の形態における継手２の作用効果は、第一の実施の形態と同様であるが、接続端部７においては、通水管１における端部部分１ａの先端面が、係合体本体５ａ（詳細には、筒状体５ｆの前部片５ｉ）に当接するため、端部部分１ａが所定位置を越えて係合体５に挿入されることがない。
【００４７】
なお、本発明は、上述した実施の形態に限定されるわけではなく、その他種々の変更が可能である。例えば、継手２は、その継手本体２ａの一端側が上述した受口３となっているが、他端側にも同様の受口、あるいは他の構造の受口を備えてもよく、また、継手２は、Ｌ字型に屈曲してその両端部が受口となっていてもよく、さらには、継手本体２ａを分岐するように形成することで、受口を三つ以上備えるようにしてもよい。
【００４８】
また、取着体６ａは、通水管１の端部部分１ａが挿入された係合体５が受口３に装着された状態で、通水管１の側方から近づくようにして受口３に取り付け可能であるとともに、通水管１から側方に離れるようにして受口３から取り外し可能に形成されるのであれば、以下に示す変形態様のようにしてもよい。
【００４９】
第一変形態様としては、図９〜図１０に示すように、受口３と取着体６ａとで、通水管１の端部部分１ａと係合体５とを収容する収容孔３ｂを形成するようにしてもよい。すなわち、受口３は、一部が切り欠かれ、その切り欠かれた部分を埋めるように、取着体６ａが形成されている。図示実施の形態においては、取着体６ａは、係合体５を部分的に覆うように、半円よりも若干延びて形成されている。そして、取着体６ａは、前側が、受口３を覆うように、前方に延びて、その延びた前端部には、内側に突出形成されて受口３に設けられた凹部３ｈと係合する第１係合部６ｅが設けられている。また、取着体６ａの後端部には、内側に突出形成されて係合体５（詳細には、係合体５の後端）と係合する第２係合部６ｆが設けられており、この第２係合部６ｆによって、係合体５は、受口３に対して抜け止めされる。そして、取着体６ａは、受口３に設けられた被係合部３ｉに係合する係合爪６ｇを備えており、この係合爪６ｇによって、取着体６ａは、受口３に着脱可能に取り付けられる。
【００５０】
また、第二変形態様としては、図１１〜図１２に示すように、取着体６ａは、リングを二分割した形状の二つの分割体６ｈ、６ｈからなっていてもよい。この取着体６ａは、二つの分割体６ｈ、６ｈを合わせることでリングが形成され、その外周に設けられた雄ねじ６ｉが、受口３の内周に設けられた雌ねじ３ｊに螺合することで、その受口３に着脱可能に取り付けられる。
【００５１】
また、受口３には、止水部材４が、第一の実施の形態では一つ設けられ、第二の実施の形態では二つ設けられているが、止水部材４の数は、一つとか二つに限定さるものではなく、必要に応じて幾つ設けられても構わない。
【図面の簡単な説明】
【００５２】
【図１】この発明の第一の実施の形態の、縦断面図である。
【図２】同じく、図１におけるＡ−Ａ線による断面図である。
【図３】同じく、図２におけるＫ矢視図である。
【図４】同じく、係合体の拡大縦断面図である。
【図５】同じく、抜止めリングを示し、（ａ）は、拡大平面図であり、（ｂ）は、（ａ）におけるＢ−Ｂ線による断面図である。
【図６】同じく、継手に通水管を接続する第一の接続方法を示す縦断面図である。
【図７】同じく、継手に通水管を接続する第二の接続方法を示す縦断面図である。
【図８】この発明の第二の実施の形態の、縦断面図である。
【図９】この発明の第一変形態様を示す、縦断面図である。
【図１０】同じく、図９におけるＣ−Ｃ線による断面図である。
【図１１】この発明の第二変形態様を示す、縦断面図である。
【図１２】同じく、図１１におけるＤ−Ｄ線による断面図である。
【図１３】従来の継手を示す縦断面図である。
【符号の説明】
【００５３】
１  通水管
１ａ  端部部分
１ｂ  軸心
１ｃ  端部部分前部
１ｄ  端部部分後部
２  継手
３  受口
３ａ  規制部
４  止水部材
５  係合体
５ａ  係合体本体
５ｂ  抜止めリング
５ｃ  リング本体
５ｄ  係止爪
５ｅ  軸心
６  係止手段
６ａ  取着体
７  接続端部
８  コア部
８ａ  コア部材
Ｐ  接続方向
Ｑ  反接続方向
【図１】
2009014017.tif 000003
【図２】
2009014017.tif 000004
【図３】
2009014017.tif 000005
【図４】
2009014017.tif 000006
【図５】
2009014017.tif 000007
【図６】
2009014017.tif 000008
【図７】
2009014017.tif 000009
【図８】
2009014017.tif 000010
【図９】
2009014017.tif 000011
【図１０】
2009014017.tif 000012
【図１１】
2009014017.tif 000013
【図１２】
2009014017.tif 000014
【図１３】
2009014017.tif 000015